(57)【特許請求の範囲】
【請求項１】
情報処理装置の出力に対応する映像を表示する表示装置において、
前記情報処理装置から供給される第１のビデオ信号を取得する取得手段と、
前記情報処理装置の稼動状態に拘わらず、ユーザの操作を入力する操作入力手段と、
入力された前記ユーザの操作に従い、テレビジョン放送信号を受信し、前記テレビジョン放送信号に基づいて第２のビデオ信号を生成する受信手段と、
前記第１のビデオ信号および前記第２のビデオ信号を合成して、第３のビデオ信号を生成する合成手段と、
入力された前記ユーザの操作に従い、前記第１乃至第３のビデオ信号のうちの１つを選択する選択手段と、
選択された前記ビデオ信号に対する映像を表示する表示手段と、
前記テレビジョン放送信号に基づく前記第２のビデオ信号を、所定のバスを介して稼働中の前記情報処理装置に供給する供給手段と
を含む表示装置。
【請求項２】
前記操作入力手段は、キーボード、マウス、またはリモートコントローラのうちの少なくとも１つを含む
請求項１に記載の表示装置。
【請求項３】
前記操作入力手段によって入力された前記ユーザの操作の情報を、前記所定のバスを介して前記情報処理装置に通知する通知手段を
さらに含む請求項１に記載の表示装置。
【請求項４】
前記所定のバスは、USBである
請求項１に記載の表示装置。
【発明の詳細な説明】
【０００１】
【発明の属する技術分野】
本発明は、表示装置に関し、特に、接続されているパーソナルコンピュータが起動されていない状態においてもテレビジョン放送の映像を表示できるようにした表示装置に関する。
【０００２】
【従来の技術】
従来、接続されているディスプレイにテレビジョン放送の映像を表示したり、その映像を記録して再生したりすることができるパーソナルコンピュータが存在する。
【０００３】
図１は、そのようなパーソナルコンピュータシステムの一例を示している。このパーソナルコンピュータ１には、アンテナより供給されるテレビジョン放送信号からユーザが希望する放送チャンネルのＡＶ信号を抽出するＴＶチューナカード２が内蔵されている。抽出されたＡＶ信号の映像信号は、パーソナルコンピュータ１の映像信号と同じフォーマットの映像信号に変換されてディスプレイ５に供給されて表示される。また、抽出されたＡＶ信号は、パーソナルコンピュータ１のMPEG２方式などのエンコーダ（不図示）によって符号化データに変換されてハードディスクなどに記録され、また読み出されてデコードされ、ディスプレイ５に供給されて表示される。
【０００４】
パーソナルコンピュータ１には、ユーザがパーソナルコンピュータ１に対してテレビジョン放送の受信の開始や終了を指示するコマンドや、希望する放送チャンネルを切り替えるコマンドを入力するために操作するキーボード３およびマウス４が接続されている。
【０００５】
図１のディスプレイ５にテレビジョン番組の映像を表示させるためには、パーソナルコンピュータ１が起動されている状態でなければならない。
【０００６】
【発明が解決しようとする課題】
したがって、ユーザは、ディスプレイ５を用いてテレビジョン番組を視聴したい場合、パーソナルコンピュータ１が起動されていなければ、パーソナルコンピュータ１を起動する必要があり、当該起動には数十秒乃至百秒の時間を要するので、ユーザにとって利便性に欠けている課題があった。
【０００７】
なお、従来、パーソナルコンピュータから供給される映像信号を表示できるテレビジョン受像機が存在するので、当該テレビジョン受像機を上述したパーソナルコンピュータ１に接続して用いれば、単にテレビジョン番組を視聴するだけであれば、パーソナルコンピュータ１を起動する必要はない。しかしながら、当該テレビジョン受像機をパーソナルコンピュータ１に接続して用いる場合、パーソナルコンピュータ１によるテレビジョン番組の映像を記録し、再生する機能を利用するためには、アンテナからテレビジョン放送信号を、当該テレビジョン受像機とパーソナルコンピュータ１の両方に供給する必要があるので、アンテナ線などの配線や接続が面倒である課題があった。
【０００８】
さらに、その場合、当該テレビジョン受像機を操作するには、専用のリモートコントローラなどを用い、パーソナルコンピュータ１を操作するには、キーボード３やマウス４を用いるように、操作デバイスが共通化されていないので、ユーザにとって利便性に欠けている課題があった。
【０００９】
本発明はこのような状況に鑑みてなされたものであり、テレビジョン放送を受信する機能と、テレビジョン放送の映像信号をパーソナルコンピュータに供給する機能を内蔵させることによって、キーボードやマウスによって操作可能であり、かつ、パーソナルコンピュータを起動しない状態でテレビジョン番組の映像を表示することができる表示装置を実現することを目的とする。
【００１０】
【課題を解決するための手段】
本発明の表示装置は、情報処理装置から供給される第１のビデオ信号を取得する取得手段と、情報処理装置の稼動状態に拘わらず、ユーザの操作を入力する操作入力手段と、入力されたユーザの操作に従い、テレビジョン放送信号を受信し、テレビジョン放送信号に基づいて第２のビデオ信号を生成する受信手段と、第１のビデオ信号および第２のビデオ信号を合成して、第３のビデオ信号を生成する合成手段と、入力されたユーザの操作に従い、第１乃至第３のビデオ信号のうちの１つを選択する選択手段と、選択されたビデオ信号に対する映像を表示する表示手段と、テレビジョン放送信号に基づく第２のビデオ信号を、所定のバスを介して稼動中の情報処理装置に供給する供給手段とを含む。
【００１１】
前記操作入力手段は、キーボード、マウス、またはリモートコントローラのうちの少なくとも１つを含むようにすることができる。
【００１２】
本発明の表示装置は、前記操作入力手段によって入力された前記ユーザの操作の情報を、前記所定のバスを介して前記情報処理装置に通知する通知手段をさらに含むことができる。
【００１３】
前記所定のバスは、USBであるようにすることができる。
【００１４】
本発明の表示装置においては、情報処理装置から供給される第１のビデオ信号が取得され、情報処理装置の稼動状態に拘わらず、ユーザの操作が入力され、入力されたユーザの操作に従い、テレビジョン放送信号が受信されてテレビジョン放送信号に基づいて第２のビデオ信号が生成される。また、第１のビデオ信号および第２のビデオ信号が合成されて第３のビデオ信号が生成され、入力されたユーザの操作に従い、第１乃至第３のビデオ信号のうちの選択されたビデオ信号に対する映像が表示される。さらに、テレビジョン放送信号に基づく第２のビデオ信号が所定のバスを介して稼動中の情報処理装置に供給される。
【００１５】
【発明の実施の形態】
本発明の一実施の形態であるディスプレイが適用されるシステムの構成例について、図２を参照して説明する。このディスプレイ１１は、通常のテレビジョン受像機と同様に、ＴＶチューナ１２を内蔵しており、アンテナ（不図示）より供給されるＴＶ放送信号から、ユーザからの選局コマンドに対応するチャンネルのビデオ信号を復元する。復元されたビデオ信号は、CRT(Cathode Ray Tube)２７（図３）に表示される。
【００１６】
また、ディスプレイ１１は、パーソナルコンピュータ（ＰＣ）１６の表示出力部５８（図４）に接続されており、ビデオ信号インプットセレクタ２４（図３）に入力されるビデオ信号の映像をCRT２７に表示する。さらに、ディスプレイ１１は、双方向のデータ通信が可能なUSB(Universal Serial Bus)回線１７を介してもパーソナルコンピュータ１６に接続されており、ＡＶ信号、制御コマンド、その他のデータを通信する。
【００１７】
ディスプレイ１１には、キーボード１３、マウス１４、およびモデム１５が接続されている。キーボード１３、およびマウス１４は、ディスプレイ１１に対するテレビジョン放送の受信に関わる選局や音量調整などを指示するユーザの操作を受け付けるとともに、ディスプレイ１１に接続しているパーソナルコンピュータ１６に対するユーザの操作を受け付ける。
【００１８】
モデム１５は、ディスプレイ１１に接続しているパーソナルコンピュータ１６を、電話回線を介してインタネットに代表されるネットワークに接続する。なお、モデム１５をディスプレイ１１に内蔵してもかまわない。
【００１９】
次に、図３は、ディスプレイ１１の構成例を示している。ディスプレイ１１において、アンテナからのＴＶ放送信号はＴＶチューナ１２に供給され、パーソナルコンピュータ１６からのビデオ信号は、ビデオ信号インプットセレクタ２４に供給され、パーソナルコンピュータ１６からのビデオ信号に対応する垂直同期信号（ＶＳ）および水平同期信号（ＨＳ）は、同期信号インプットセレクタ２８に供給される。
【００２０】
ＴＶチューナ１２は、アンテナから供給されるＴＶ放送信号からユーザの選局に対応する周波数成分を抽出して復調し、得られるコンポジットビデオ(CVBS)信号を、くし形フィルタ２１に出力する。くし型フィルタ２１は、コンポジット信号をＹ／Ｃ分離して、得られるＹ／Ｃ信号をクロマデコーダ２２に出力する。クロマデコーダ２２は、Ｙ／Ｃ信号をYUV(Y/Cb/Cr)信号に分離して、マトリクス回路２３に出力する。また、クロマデコーダ２２は、Ｙ／Ｃ信号から垂直および水平同期信号を抽出して同期信号インプットセレクタ２８に出力する。マトリクス回路２３は、YUV信号をRGB信号に変換してビデオ信号インプットセレクタ２４に出力する。
【００２１】
ビデオ信号インプットセレクタ２４は、マトリクス回路２３から入力されるRGB信号、またはパーソナルコンピュータ１６から入力されるビデオ信号（RGB信号）を選択して、あるいは、パーソナルコンピュータ１６から入力されるRGB信号とマトリクス回路２３から入力されるRGB信号を合成して（いわゆる、ピクチャインピクチャのRGB信号を生成して）、ビデオ増幅器２５に出力する。ビデオ増幅器２５は、ビデオ信号インプットセレクタ２から入力されるRGB信号や、OSD信号ジェネレータ３０から入力されるOSD(On Screen Display)用のRGB信号を増幅してCRT２７に出力する。CRT２７は、ビデオ増幅器２５から入力されるRGB信号に対応する映像を表示する。なお、CRT２７の代わりに、LCD(Liquid Crystal Display)，FED(Field Emission Display)，PALCなどの表示デバイスを用いてもよい。
【００２２】
同期信号インプットセレクタ２８には、クロマデコーダ２２からの垂直および水平同期信号、並びにパーソナルコンピュータ１６からの垂直および水平同期信号が供給されており、ビデオ信号インプットセレクタ２４が出力するRGB信号に対応する垂直および水平同期信号を偏向コントローラ２９に出力する。偏向コントローラ２９は、同期信号インプットセレクタ２８からの同期信号に基づき、CRT２７のＤＹ(Deflection Yoke)２６などのコイルをドライブする。
【００２３】
OSDジェネレータ３０は、チャンネル表示や、コントラストなどを調整するためのキャラクタ表示信号を生成して、RGB信号でビデオ増幅器２５に出力する。EEPROM(Electrically Erasable Programmable ROM)３１には、OSDジェネレータ３０がキャラクタ表示信号を生成するときに用いるキャラクタコードやフォントデータが格納されている。なお、EEPROM３１の代わりに、単なるROMを用いてもよい。
【００２４】
マイクロプロセッサ３２は、ディスプレイ１１の各回路を制御する。また、マイクロプロセッサ３２は、ビデオ信号インプットセレクタ２４からビデオ信号を取得し、RAM３３をワークエリアとして所定の信号処理（例えば、USB回線１７への伝送に適したフォーマットに変換する処理など）を施し、コミュニケーションインタフェース(I/F)３４やUSBインタフェース３５に出力する。
【００２５】
コミュニケーションインタフェース３４は、モデム１５との通信を制御する。USBインタフェース３５は、マイクロプロセッサ３２から供給される、所定の信号処理が施されたビデオ信号やキーボード１３およびマウス１４の操作信号を、USB回線１７を介してパーソナルコンピュータ１６に送信する。ＩＲセンサ３６は、リモートコントローラ（不図示）から赤外線によって送信されるコマンドを受信して、マイクロプロセッサ３２に出力する。入力デバイスインタフェース３７は、ユーザの操作に対応してキーボード１３およびマウス１４から入力される操作信号を受信して、マイクロプロセッサ３２に出力する。
【００２６】
図４は、パーソナルコンピュータ１６の構成例を示している。パーソナルコンピュータ１６は、CPU(Central Processing Unit)５１を内蔵している。CPU５１にはバス５４を介して、入出力インタフェース５５が接続されている。入出力インタフェース５５には、USB回線１７を介してディスプレイ１１から供給されるビデオ信号や操作信号を受け付けるUSBインタフェース５６、ディスプレイ１１にビデオ信号とその垂直および水平同期信号を供給する表示出力部５８、プログラムや各種データを格納するハードディスクドライブなどよりなる記憶部５９、LANなどに接続してデータを通信する通信部６０、および磁気ディスク６２乃至半導体メモリ６５などの記録媒体に対してデータを読み書きするドライブ６１が接続されている。バス５４には、ROM(Read Only Memory)５２およびRAM(Random Access Memory)５３が接続されている。
【００２７】
USBインタフェース５６が受け付けた操作信号は、入出力インタフェース５５およびバス５４を介してCPU５１に通知される。また、USBインタフェース５６が受け付けたビデオ信号は、所定の信号処理が施されて記憶部５９に記憶される。
【００２８】
このパーソナルコンピュータに、USB回線１７を介してディスプレイ１１から供給されるビデオ信号を記録し、また再生する処理を実行させるプログラムは、磁気ディスク６２（フロッピディスクを含む）、光ディスク６３（CD-ROM(Compact Disc-Read Only Memory)、DVD(Digital Versatile Disc)を含む）、光磁気ディスク６４（ＭＤ(Mini Disc)を含む）、もしくは半導体メモリ６５に格納された状態でパーソナルコンピュータに供給され、ドライブ６１によって読み出されて記憶部５９に内蔵されるハードディスクドライブにインストールされている。記憶部５９にインストールされているプログラムは、ディスプレイ１１に接続されているキーボード１３およびマウス１４に対するユーザの操作に対応して、USBインタフェース５６を介して入力される操作信号に対応するCPU５１の指令によって、記憶部５９からRAM５３にロードされて実行される。
【００２９】
次に、ユーザがテレビジョン放送を視聴する場合における当該システムの動作について説明する。この場合、ユーザは、ディスプレイ１１だけの電源をオンとすればよく、パーソナルコンピュータ１６を起動することは必要条件ではない。
【００３０】
電源がオンとされたディスプレイ１１では、キーボード１３、マウス１４、またはリモートコントローラに対するユーザからの選局の操作に対応して、ＴＶチューナ１２によって、アンテナから供給されたＴＶ放送信号からユーザの選局に対応する周波数成分が抽出されて復調され、得られたコンポジットビデオ信号が、くし形フィルタ２１によってＹ／Ｃ分離され、得られたＹ／Ｃ信号がクロマデコーダ２２によって、YUV信号に分離され、マトリクス回路２３によって、YUV信号がRGB信号に変換されてビデオ信号インプットセレクタ２４に出力され、ビデオ信号インプットセレクタ２４によって選択されてビデオ増幅器２５に供給される。
【００３１】
このとき、ビデオ信号インプットセレクタ２４に、パーソナルコンピュータ１６からのビデオ信号が入力されている場合（すなわち、パーソナルコンピュータ１６が起動されている場合）、ユーザは、画面にテレビジョン放送の映像だけを表示させるか、パーソナルコンピュータ１６の映像だけを表示させるか、パーソナルコンピュータ１６の映像にテレビジョン放送の映像をピクチャインピクチャさせた映像を表示させるか、またはテレビジョン放送の映像にパーソナルコンピュータ１６の映像をピクチャインピクチャさせた映像を表示させるかを選択できる。
【００３２】
しかしながら、ビデオ信号インプットセレクタ２４に、パーソナルコンピュータ１６からのビデオ信号が入力されていない場合には（すなわち、パーソナルコンピュータ１６が起動されていない場合には）、テレビジョン放送の映像だけを表示させる選択のみ可能である。
【００３３】
ビデオ信号インプットセレクタ２４から出力されたRGB信号は、ビデオ増幅器２５によって増幅され、CRT２７によって表示される。
【００３４】
なお、ディスプレイ１１は、例えば、コミュニケーションインタフェース３４またはUSBインタフェース３５から入力されるビデオデータを表示することも可能である。
【００３５】
次に、ディスプレイ１１による、接続されているキーボード１３およびマウス１４の制御対象切替処理について、図５のフローチャートを参照して説明する。ステップＳ１において、ディスプレイ１１のマイクロプロセッサ３２は、ビデオ信号インプットセレクタ２４にパーソナルコンピュータ１６からのビデオ信号が入力されているか否かに基づき、パーソナルコンピュータ１６の電源がオンとされているか否かを判定する。パーソナルコンピュータ１６の電源がオンとされていると判定された場合、処理はステップＳ２に進む。
【００３６】
ステップＳ２において、マイクロプロセッサ３２は、キーボード１３およびマウス１４の制御対象をパーソナルコンピュータ１６として、入力デバイスインタフェース３７を介して入力されるキーボード１３およびマウス１４から操作信号を、USBインタフェース３５およびUSB回線１７を介してパーソナルコンピュータ１６に送信する。
【００３７】
反対に、ステップＳ１において、パーソナルコンピュータ１６の電源がオフとされていると判定された場合、処理はステップＳ３に進む。
【００３８】
ステップＳ３において、マイクロプロセッサ３２は、キーボード１３およびマウス１４の制御対象をディスプレイ１１として、入力デバイスインタフェース３７を介して入力されるキーボード１３およびマウス１４から操作信号に基づいてディスプレイ１１の各部を制御する。
【００３９】
以上説明したように、パーソナルコンピュータ１６が起動されていない場合、キーボード１３およびマウス１４を用いたチャンネル選局などの操作に対応するディスプレイ１１のＴＶチューナ１２以降の制御は、ダイレクトにマイクロプロセッサ３２によって行われる。また、パーソナルコンピュータ１６が起動されている場合、キーボード１３およびマウス１４を用いたチャンネル選局などの操作に対応するディスプレイ１１のＴＶチューナ１２以降の制御は、USB回線１７を介するパーソナルコンピュータ１６が指令し、その指令に従ってマイクロプロセッサ３２が実行する。
【００４０】
したがって、パーソナルコンピュータ１６が起動されている状態であっても、また、起動されていない状態であっても、ユーザは、ディスプレイ１１にテレビジョン放送の映像を表示させるための操作をキーボード１３およびマウス１４を用いることになるので、操作ミスを抑止することに効果が期待できる。
【００４１】
なお、USB回線１７の代わりに、例えば、IEEE(Institute of Electrical and Electronics Engineers)１３９４バスなどを用いるようにしてもよい。
【００４２】
本明細書において、システムとは、複数の装置により構成される装置全体を表すものである。
【００４３】
【発明の効果】
以上のように、本発明の表示装置によれば、キーボードやマウスによって操作可能であり、かつ、情報処理装置を起動しない状態でテレビジョン番組の映像を表示可能な表示装置を実現することが可能となる。
【図面の簡単な説明】
【図１】従来のテレビジョン放送の映像を表示できるパーソナルコンピュータシステムの構成の一例を示すブロック図である。
【図２】本発明の一実施の形態であるディスプレイ１１を含むシステムの構成例を示すブロック図である。
【図３】ディスプレイ１１の構成例を示すブロック図である。
【図４】パーソナルコンピュータ１６の構成例を示すブロック図である。
【図５】ディスプレイ１１による制御対象切替処理を説明するフローチャートである。
【符号の説明】
１１  ディスプレイ，  １２  ＴＶチューナ，  １３  キーボード，  １４  マウス，  １５  モデム，  １６  パーソナルコンピュータ，  １７  USB回線，  ３２  マイクロプロセッサ
【図１】
0004605422.tif 000002
【図２】
0004605422.tif 000003
【図３】
0004605422.tif 000004
【図４】
0004605422.tif 000005
【図５】
0004605422.tif 000006